(57)【要約】【課題】絶縁体の強度向上を図り、絶縁体の破損を防止する。【解決手段】スパークプラグは、絶縁碍子２及び主体金具３を備える。絶縁碍子２は、大径部１１、縮径部１５及び後端側胴部１０を有し、主体金具３は、工具係合部２０、加締め部２１及び座部１７を有する。加締め部２１は、リング部材２４及び滑石２６を介して大径部１１に係止される。後端側胴部１０の外径が７．０ｍｍ以上８．０ｍｍ以下、工具係合部２０の対辺寸法が１２ｍｍ以下とされたり、後端側胴部１０の外径が９．０ｍｍ以上１０．５ｍｍ以下、軸線ＣＬ１に沿った座部１７から絶縁碍子２の後端までの距離が４２ｍｍ以上５４ｍｍ以下とされたスパークプラグにおいて、後端側胴部１０の外径とリング部材２４の内径との径差の１／２が０．１５ｍｍ以上とされ、軸線ＣＬ１を含む断面におけるリング部材２４の直径が０．４ｍｍ以上とされる。【選択図】      図４
2011210699.tif 000002
【特許請求の範囲】
【請求項１】
軸線方向に延びる筒状の絶縁体と、
前記絶縁体の外周に設けられた筒状の主体金具とを備え、
前記絶縁体は、
径方向外側に突出形成された大径部と、
前記大径部の後端から前記軸線方向後端側に向けて縮径する縮径部と、
前記縮径部の後端から延びる円筒状の後端側胴部とを有するとともに、
前記主体金具は、
内燃機関への取付のための工具係合部と、
前記工具係合部の後端側において、径方向内側に向けて屈曲形成された加締め部とを有し、
前記軸線を中心として環状をなすとともに、前記縮径部に接触して配置され、前記主体金具の内周面に接触する断面円形状のリング部材と、
前記絶縁体及び前記主体金具間において、前記リング部材の少なくとも前記絶縁体側に位置する面に接触する滑石とを介して、前記加締め部が前記大径部に間接的に係止されており、
前記後端側胴部の外径が７．０ｍｍ以上８．０ｍｍ以下とされ、前記工具係合部の対辺寸法が１２ｍｍ以下とされたスパークプラグであって、
前記後端側胴部の外径と前記リング部材の内径との径差の１／２を０．１５ｍｍ以上とし、前記軸線を含む断面における前記リング部材の直径を０．４ｍｍ以上としたことを特徴とするスパークプラグ。
【請求項２】
軸線方向に延びる筒状の絶縁体と、
前記絶縁体の外周に設けられた筒状の主体金具とを備え、
前記絶縁体は、
径方向外側に突出形成された大径部と、
前記大径部の後端から前記軸線方向後端側に向けて縮径する縮径部と、
前記縮径部の後端から延びる円筒状の後端側胴部とを有するとともに、
前記主体金具は、
内燃機関への取付のための工具係合部と、
前記工具係合部の後端側において、径方向内側に向けて屈曲形成された加締め部と、
前記工具係合部の先端側において、径方向外側に突出形成された座部とを有し、
前記軸線を中心として環状をなすとともに、前記縮径部に接触して配置され、前記主体金具の内周面に接触する断面円形状のリング部材と、
前記絶縁体及び前記主体金具間において、前記リング部材の少なくとも前記絶縁体側に位置する面に接触する滑石とを介して、前記加締め部が前記大径部に間接的に係止されており、
前記後端側胴部の外径が９．０ｍｍ以上１０．５ｍｍ以下とされたスパークプラグであって、
前記軸線に沿った前記座部から前記絶縁体の後端までの距離が４２ｍｍ以上５４ｍｍ以下とされ、
前記後端側胴部の外径と前記リング部材の内径との径差の１／２を０．１５ｍｍ以上とし、前記軸線を含む断面における前記リング部材の直径を０．４ｍｍ以上としたことを特徴とするスパークプラグ。
【請求項３】
前記工具係合部の外周面のうち前記軸線に沿った長さが最小となる部分の前記軸線に沿った長さをＡ（ｍｍ）とし、
前記軸線に沿った前記縮径部の先端から前記工具係合部の外周面の後端までの距離をＢ（ｍｍ）としたとき、
Ｂ／Ａを０．８５以下とするとともに、
前記軸線を中心として環状をなすとともに、前記リング部材との間で前記滑石を挟んで配置され、前記加締め部に接触する第２リング部材を備え、
前記軸線に沿った前記リング部材から前記第２リング部材までの距離を３．０ｍｍ以上としたことを特徴とする請求項１又は２に記載のスパークプラグ。
【請求項４】
前記縮径部の表面は、凹状の湾曲面状をなすとともに、
前記軸線を含む断面において、前記縮径部の外形線の曲率半径が、前記後端側胴部の外径と前記大径部後端の外径との径差の１／２よりも大きくされることを特徴とする請求項１乃至３のいずれか１項に記載のスパークプラグ。
【請求項５】
前記縮径部は、
前記大径部の後端から前記軸線方向後端側に向けて縮径するテーパ状のテーパ部と、
前記テーパ部の後端、及び、前記後端側胴部の先端の間に形成され、凹状の湾曲面状をなす湾曲面部とからなることを特徴とする請求項１乃至３のいずれか１項に記載のスパークプラグ。
【発明の詳細な説明】
【技術分野】
【０００１】
本発明は、内燃機関等に使用されるスパークプラグに関する。
【背景技術】
【０００２】
スパークプラグは、例えば、内燃機関（エンジン）に取付けられ、燃焼室内の混合気への着火のために用いられるものである。一般的にスパークプラグは、軸孔を有する絶縁体と、当該軸孔の先端側に挿通される中心電極と、軸孔の後端側に挿通される端子電極と、絶縁体の外周に設けられる主体金具と、主体金具の先端部に設けられ、中心電極との間で火花放電間隙を形成する接地電極とを備える。
【０００３】
また、一般に主体金具及び絶縁体は、主体金具の内周面に形成された段部に対して絶縁体の外周面に形成された段部を係止した状態で、主体金具の後端部を径方向内側へと屈曲させて加締め部を形成し、当該加締め部を径方向外側に膨出する絶縁体の大径部に対して係止することで固定される。加えて、気密性の向上を図るべく、加締め部の内側であって主体金具と絶縁体との間に、リング部材や滑石を収容する技術が知られている（例えば、特許文献１等参照）。
【０００４】
ところで近年では、エンジンレイアウトの自由度を向上させるべく、スパークプラグの小型化が求められている。そこで、スパークプラグの小型化を実現すべく、絶縁体がより細径なものとされ得る。
【０００５】
また、高圧縮化や高過給気化された内燃機関等においては、火花を放電させるためにより大きな電圧が必要になるところ、印加電圧を増大させると、端子電極と主体金具との間で絶縁体表面を這うようにして電流がリークしてしまうおそれがある。そこで、電流のリークを防止すべく、絶縁体のうち端子電極と主体金具との間に位置する部位がより長いものとされ得る。
【先行技術文献】
【特許文献】
【０００６】
【特許文献１】特開２００６−９２９５５号公報
【発明の概要】
【発明が解決しようとする課題】
【０００７】
しかしながら、上述のように細径化されたり、端子電極と主体金具との間に位置する部位が比較的長い絶縁体は、内燃機関等の動作に伴う振動や落下に対する強度が低下してしまう。そのため、絶縁体のうち、特に応力が集中しやすい後端側胴部の先端部から大径部にかけた部位において、振動等による割れが発生してしまうおそれがある。
【０００８】
本発明は、上記事情を鑑みてなされたものであり、その目的は、細径化されたり、端子電極と主体金具との間に位置する部位が比較的長くされた絶縁体を有するスパークプラグにおいて、絶縁体の強度向上を図ることができ、ひいては絶縁体の破損をより確実に防止できるスパークプラグを提供することにある。
【課題を解決するための手段】
【０００９】
以下、上記目的を解決するのに適した各構成につき、項分けして説明する。なお、必要に応じて対応する構成に特有の作用効果を付記する。
【００１０】
構成１．本構成のスパークプラグは、軸線方向に延びる筒状の絶縁体と、
前記絶縁体の外周に設けられた筒状の主体金具とを備え、
前記絶縁体は、
径方向外側に突出形成された大径部と、
前記大径部の後端から前記軸線方向後端側に向けて縮径する縮径部と、
前記縮径部の後端から延びる円筒状の後端側胴部とを有するとともに、
前記主体金具は、
内燃機関への取付のための工具係合部と、
前記工具係合部の後端側において、径方向内側に向けて屈曲形成された加締め部とを有し、
前記軸線を中心として環状をなすとともに、前記縮径部に接触して配置され、前記主体金具の内周面に接触する断面円形状のリング部材と、
前記絶縁体及び前記主体金具間において、前記リング部材の少なくとも前記絶縁体側に位置する面に接触する滑石とを介して、前記加締め部が前記大径部に間接的に係止されており、
前記後端側胴部の外径が７．０ｍｍ以上８．０ｍｍ以下とされ、前記工具係合部の対辺寸法が１２ｍｍ以下とされたスパークプラグであって、
前記後端側胴部の外径と前記リング部材の内径との径差の１／２を０．１５ｍｍ以上とし、前記軸線を含む断面における前記リング部材の直径を０．４ｍｍ以上としたことを特徴とする。
【００１１】
尚、前記加締め部の形成に伴い、前記リング部材が潰れ変形する場合がある。その場合において、「リング部材の直径」とあるのは、リング部材の断面積と同一の面積を有する円の直径をいう。例えば、リング部材の断面積がＳであったとき、リング部材の直径Ｒは、Ｒ＝（４Ｓ／π）1/2となる（以下、同様）。
【００１２】
上記構成１のスパークプラグは、後端側胴部の外径が７．０ｍｍ以上８．０ｍｍ以下とされ、工具係合部の対辺寸法が１２ｍｍ以下と小径化されている。従って、衝撃に対する絶縁体の強度が不十分となってしまい、特に応力の集中しやすい縮径部及びその周辺において折損等の不具合が生じてしまうおそれがある。
【００１３】
この点、上記構成１によれば、後端側胴部の外径とリング部材の内径との径差の１／２が０．１５ｍｍ以上とされており、絶縁体のうち縮径部及びその周辺部分と主体金具との間に十分に大きな空間が形成されている。従って、当該空間へと滑石を比較的容易に入り込ませることができ、滑石から、縮径部及びその周辺部位（つまり、振動等による応力集中が特に懸念される部位）へとより大きな圧縮応力を加えることができる。その結果、縮径部及びその周辺部位の強度を向上させることができ、絶縁体の折損等をより確実に防止することができる。
【００１４】
一方で、前記径差を大きく確保するためには、リング部材として線径の比較的小さなものを用いることが考えられる。ところが、リング部材の線径を過度に小さくしてしまうと、リング部材が滑石に押されることで生じる、リング部材が主体金具の内周面へと押し付けられる力も小さなものとなってしまう。このため、内燃機関の動作に伴う振動等により、リング部材と主体金具の内周面との間を通って滑石が流出してしまい、加締め部から滑石等を介して大径部に加えられる加締め力が減少してしまうおそれがある。加締め力が低下してしまうと、主体金具と絶縁体との間における気密性の低下を招いてしまう。
【００１５】
この点を鑑みて、上記構成１によれば、軸線ＣＬ１を含む断面におけるリング部材の外形線の直径が０．４ｍｍ以上とされている。従って、リング部材が主体金具の内周面へと十分に大きな力をもって押し付けられることとなり、滑石の流出をより確実に防止することができる。その結果、十分な気密性をより確実に、かつ、より長期間に亘って維持することができる。
【００１６】
構成２．本構成のスパークプラグは、軸線方向に延びる筒状の絶縁体と、
前記絶縁体の外周に設けられた筒状の主体金具とを備え、
前記絶縁体は、
径方向外側に突出形成された大径部と、
前記大径部の後端から前記軸線方向後端側に向けて縮径する縮径部と、
前記縮径部の後端から延びる円筒状の後端側胴部とを有するとともに、
前記主体金具は、
内燃機関への取付のための工具係合部と、
前記工具係合部の後端側において、径方向内側に向けて屈曲形成された加締め部と、
前記工具係合部の先端側において、径方向外側に突出形成された座部とを有し、
前記軸線を中心として環状をなすとともに、前記縮径部に接触して配置され、前記主体金具の内周面に接触する断面円形状のリング部材と、
前記絶縁体及び前記主体金具間において、前記リング部材の少なくとも前記絶縁体側に位置する面に接触する滑石とを介して、前記加締め部が前記大径部に間接的に係止されており、
前記後端側胴部の外径が９．０ｍｍ以上１０．５ｍｍ以下とされたスパークプラグであって、
前記軸線に沿った前記座部から前記絶縁体の後端までの距離が４２ｍｍ以上５４ｍｍ以下とされ、
前記後端側胴部の外径と前記リング部材の内径との径差の１／２を０．１５ｍｍ以上とし、前記軸線を含む断面における前記リング部材の直径を０．４ｍｍ以上としたことを特徴とする。
【００１７】
上記構成２のスパークプラグは、軸線に沿った座部から絶縁体後端までの距離が４２ｍｍ以上５４ｍｍ以下と長尺化されている。このようなスパークプラグは、長尺化に伴い絶縁体の質量が増大することと相俟って、内燃機関の動作に伴う振動やスパークプラグの落下等により絶縁体に加わる衝撃がより大きなものとなってしまう。そのため、絶縁体に折損等の不具合が生じてしまいやすい。
【００１８】
この点、上記構成２によれば、後端側胴部の外径とリング部材の内径との径差の１／２が０．１５ｍｍ以上とされるとともに、軸線を含む断面におけるリング部材の直径が０．４ｍｍ以上とされている。これにより、十分な気密性をより確実に、かつ、より長期間に亘って維持することができるとともに、絶縁体のうち応力集中が特に懸念される部位の強度向上が図られ、絶縁体の折損等をより確実に防止することができる。
【００１９】
構成３．本構成のスパークプラグは、上記構成１又は２において、前記工具係合部の外周面のうち前記軸線に沿った長さが最小となる部分の前記軸線に沿った長さをＡ（ｍｍ）とし、
前記軸線に沿った前記縮径部の先端から前記工具係合部の外周面の後端までの距離をＢ（ｍｍ）としたとき、
Ｂ／Ａを０．８５以下とするとともに、
前記軸線を中心として環状をなすとともに、前記リング部材との間で前記滑石を挟んで配置され、前記加締め部に接触する第２リング部材を備え、
前記軸線に沿った前記リング部材から前記第２リング部材までの距離を３．０ｍｍ以上としたことを特徴とする請求項１又は２に記載のスパークプラグ。
【００２０】
上記構成３によれば、工具係合部の外周面のうち軸線に沿った長さが最小となる部分の軸線に沿った長さをＡ（ｍｍ）とし、縮径部の先端から工具係合部の外周面の後端までの軸線に沿った長さをＢ（ｍｍ）としたとき、Ｂ／Ａ≦０．８５を満たすように構成されている。すなわち、一般に工具係合部の内側に滑石が配置されるところ、工具係合部に対する滑石充填部分の軸線に沿った重なり割合が過度に大きなものとならないように構成されている。従って、滑石により工具係合部が径方向外側へと膨らんでしまうことをより確実に防止することができ、ひいては滑石から絶縁体に加わる圧縮応力をより増大させることができる。その結果、絶縁体の強度の更なる向上を図ることができ、絶縁体の折損等を一層確実に防止することができる。
【００２１】
一方で、Ｂ／Ａをより小さなものとするためには、Ｂをより小さくすること（換言すれば、滑石充填部分の軸線に沿った長さをより短くすること）等が考えられるが、滑石充填部分の長さを過度に短くすれば、気密性が低下してしまうおそれがある。この点、本構成３によれば、リング部材から第２リング部材までの軸線に沿った距離、すなわち、滑石充填部分の軸線に沿った長さが３．０ｍｍ以上と十分に大きなものとされている。このため、気密性をより一層向上させることができる。
【００２２】
構成４．本構成のスパークプラグは、上記構成１乃至３のいずれかにおいて、前記縮径部の表面は、凹状の湾曲面状をなすとともに、
前記軸線を含む断面において、前記縮径部の外形線の曲率半径が、前記後端側胴部の外径と前記大径部後端の外径との径差の１／２よりも大きくされることを特徴とする。
【００２３】
上記構成４によれば、縮径部に沿ってリング部材を主体金具の内周面へとより一層確実に接触させることができる。従って、リング部材の絶縁体側の面と絶縁体（縮径部）との間において十分に大きなスペースがより確実に設けられることとなり、ひいては当該スペースに対して滑石をより容易に入り込ませることができる。このため、滑石から絶縁体に対して一層確実に圧縮応力が加えられるとともに、リング部材が滑石により主体金具の内周面へと一層確実に押し付けられることとなる。その結果、絶縁体の強度、及び、気密性の更なる向上を図ることができる。
【００２４】
構成５．本構成のスパークプラグは、上記構成１乃至３のいずれかにおいて、前記縮径部は、
前記大径部の後端から前記軸線方向後端側に向けて縮径するテーパ状のテーパ部と、
前記テーパ部の後端、及び、前記後端側胴部の先端の間に形成され、凹状の湾曲面状をなす湾曲面部とからなることを特徴とする。
【００２５】
上記構成５によれば、上記構成４と同様の作用効果が奏されることとなる。
【図面の簡単な説明】
【００２６】
【図１】第１実施形態におけるスパークプラグの構成を示す一部破断正面図である。
【図２】図１のＪ−Ｊ線断面図である。
【図３】リング部材の別例を示す部分拡大断面図である。
【図４】リング部材と主体金具等の位置関係を説明するための部分拡大断面図である。
【図５】縮径部の構成を示す部分拡大断面図である。
【図６】第２実施形態におけるスパークプラグの構成を示す一部破断正面図である。
【図７】第２実施形態におけるリング部材等の構成を示す部分拡大断面図である。
【図８】絶縁体強度試験における、（Ｙ−Ｘ）／２の値と折損荷重との関係を示すグラフである。
【図９】絶縁体強度試験における重なり割合と折損荷重との関係を示すグラフである。
【図１０】他の実施形態における縮径部の構成を示す部分拡大断面図である。
【図１１】縮径部と大径部との間が湾曲面状をなす場合における、縮径部の先端を説明するための拡大断面模式図である。
【発明を実施するための形態】
【００２７】
〔第１実施形態〕
以下に、実施形態について図面を参照しつつ説明する。図１は、スパークプラグ１を示す一部破断正面図である。尚、図１では、スパークプラグ１の軸線ＣＬ１方向を図面における上下方向とし、下側をスパークプラグ１の先端側、上側を後端側として説明する。
【００２８】
スパークプラグ１は、絶縁体としての絶縁碍子２、これを保持する筒状の主体金具３などから構成されるものである。
【００２９】
絶縁碍子２は、周知のようにアルミナ等を焼成して形成されており、その外形部において、後端側に形成された円柱状の後端側胴部１０と、当該後端側胴部１０よりも先端側において径方向外向きに突出形成された大径部１１と、当該大径部１１よりも先端側においてこれよりも細径に形成された中胴部１２と、当該中胴部１２よりも先端側においてこれよりも細径に形成された脚長部１３とを備えている。加えて、絶縁碍子２のうち、大径部１１、中胴部１２、及び、大部分の脚長部１３は、主体金具３の内部に収容されている。また、中胴部１２と脚長部１３との連接部にはテーパ状の段部１４が形成されており、当該段部１４にて絶縁碍子２が主体金具３に係止されている。さらに、後端側胴部１０と大径部１１との連接部には、大径部１１の後端から軸線ＣＬ１方向後端側に向けて縮径する縮径部１５が設けられており、当該縮径部１５の表面は、凹状の湾曲面状をなしている。また、縮径部１５から後端側胴部１０にかけた部位は、角部のない滑らかな外形形状とされている。
【００３０】
さらに、絶縁碍子２には、軸線ＣＬ１に沿って軸孔４が貫通形成されており、当該軸孔４の先端側には中心電極５が挿入、固定されている。当該中心電極５は、銅又は銅合金からなる内層５Ａと、ニッケル（Ｎｉ）を主成分とするＮｉ合金からなる外層５Ｂとにより構成されている。加えて、中心電極５は、全体として棒状（円柱状）をなし、その先端面が平坦に形成されるとともに、絶縁碍子２の先端から突出している。
【００３１】
また、軸孔４の後端側には、絶縁碍子２の後端から突出した状態で端子電極６が挿入、固定されている。
【００３２】
さらに、軸孔４の中心電極５と端子電極６との間には、円柱状の抵抗体７が配設されている。当該抵抗体７の両端部は、導電性のガラスシール層８，９を介して、中心電極５と端子電極６とにそれぞれ電気的に接続されている。
【００３３】
加えて、前記主体金具３は、低炭素鋼等の金属により筒状に形成されており、その外周面にはスパークプラグ１を内燃機関や燃料電池改質器等の燃焼装置に取付けるためのねじ部（雄ねじ部）１６が形成されている。また、ねじ部１６の後端側の外周面には、径方向外側に突出形成された鍔状の座部１７が形成され、ねじ部１６後端のねじ首１８にはリング状のガスケット１９が嵌め込まれている。さらに、主体金具３の後端側には、スパークプラグ１を燃焼装置に取付ける際にレンチ等の工具を係合させるための断面六角形状の工具係合部２０が設けられている。また、工具係合部２０の後端側には、径方向内側に向けて屈曲形成された加締め部２１が設けられており、当該加締め部２１により絶縁碍子２が保持されている。
【００３４】
また、主体金具３の内周面には、絶縁碍子２を係止するためのテーパ状の段部２２が設けられている。そして、絶縁碍子２は、主体金具３の後端側から先端側に向かって挿入され、自身の段部１４が主体金具３の段部２２に係止された状態で、主体金具３の後端側の開口部を径方向内側に加締めること、つまり上記加締め部２１を形成することによって固定されている。尚、絶縁碍子２及び主体金具３双方の段部１４，２２間には、円環状の板パッキン２３が介在されている。これにより、燃焼室内の気密性を保持し、燃焼室内に晒される絶縁碍子２の脚長部１３と主体金具３の内周面との隙間に入り込む燃料ガスが外部に漏れないようになっている。
【００３５】
さらに、加締めによる密閉をより完全なものとするため、主体金具３の後端側においては、主体金具３と絶縁碍子２との間にリング部材２４及び第２リング部材２５が介在されているとともに、リング部材２４及び第２リング部材２５間には、滑石（タルク）２６が充填されている。すなわち、加締め部２１は、リング部材２４や滑石２６等を介して、前記大径部１１に係止されており、主体金具３は、板パッキン２３、リング部材２４，２５及び滑石２６を介して絶縁碍子２を保持している。
【００３６】
また、前記リング部材２４及び第２リング部材２５は、断面円形状をなすとともに、それぞれ軸線ＣＬ１を中心として環状をなしている。さらに、リング部材２４は、絶縁碍子２の縮径部１５及び主体金具３の内周面に接触するように配置されている。一方で、第２リング部材２５は、前記リング部材２４との間で前記滑石２６を挟むようにして配置されており、加締め部２１の内周面に接触している。
【００３７】
さらに、前記主体金具３の先端部には、自身の略中間が曲げ返されて、その先端部側面が中心電極５の先端部と対向する接地電極２７が接合されている。そして、前記中心電極５の先端部及び接地電極２７の先端部の間には、火花放電間隙３３が形成されており、当該火花放電間隙３３において、前記軸線ＣＬ１にほぼ沿った方向で火花放電が行われるようになっている。
【００３８】
また、本実施形態においては、スパークプラグ１の小径化を図るべく、絶縁碍子２や主体金具３の小径化が図られている。そのため、図２に示すように、前記後端側胴部１０の外径Ｘ１が７．０ｍｍ以上８．０ｍｍ以下とされており、工具係合部２０の対辺寸法Ｚ１が１２ｍｍ以下とされている。
【００３９】
加えて、後端側胴部１０の外径Ｘ１とリング部材２４の内径Ｙ１との径差の１／２〔（Ｙ１−Ｘ１）／２〕が０．１５ｍｍ以上とされている。このため、前記滑石２６は、リング部材２４の少なくとも絶縁碍子２側に位置する面に接触するようになっている。
【００４０】
一方で、軸線ＣＬ１を含む断面において、リング部材２４の直径Ｄ１が０．４ｍｍ以上とされており、その結果、前記径差〔（Ｙ１−Ｘ１）／２〕が過度に大きくならないように構成されている。尚、図３に示すように、前記加締め部２１の形成に伴って、リング部材２４が潰れ変形する場合がある。この場合において、リング部材２４の直径Ｄ１は、リング部材２４の断面積と同一の面積を有する真円の直径をいう。尚、リング部材２４の断面積は、例えば、次のようにして得ることができる。すなわち、リング部材２４の断面を撮像するとともに、撮像画像中においてリング部材２４の占める領域のピクセル数を得る。そして、当該ピクセル数に１ピクセル当たりの面積を乗じることで、リング部材２４の断面積を得ることができる。
【００４１】
さらに、図４に示すように、工具係合部２０の外周面のうち軸線ＣＬ１に沿った長さが最小となる部分の軸線ＣＬ１に沿った長さをＡ１（ｍｍ）とし、前記縮径部１５の先端から工具係合部２０の外周面の後端までの軸線ＣＬ１に沿った距離をＢ１（ｍｍ）としたとき、Ｂ１／Ａ１が０．８５以下とされている。すなわち、軸線ＣＬ１に沿った、工具係合部２０に対する、リング部材２４や滑石２６等が配置される空間の重なり割合が８５％以下とされており、当該重なり割合が過度に大きくならないように設定されている。尚、「工具係合部２０の外周面のうち軸線ＣＬ１に沿った長さが最小となる部分」とあるのは、本実施形態において、工具係合部２０の外周面の角部に相当する部分であり、軸線ＣＬ１と直交する方向に沿って最大の肉厚を有する部分である。また、本実施形態においては、工具係合部２０のうち最大の肉厚を有する部分の厚さが所定厚さ以上（例えば、１．１５ｍｍ以上）とされている。
【００４２】
さらに、軸線ＣＬ１に沿った前記リング部材２４から第２リング部材２５までの距離Ｃ１が３．０ｍｍ以上とされている。
【００４３】
併せて、図５に示すように、縮径部１５の表面全域を凹状の湾曲形状とすべく、軸線ＣＬ１を含む断面において、縮径部１５の外形線の曲率半径Ｒ１が、後端側胴部１０の外径Ｘ１と大径部１１の後端の外径Ｋ１（図４参照）との径差の１／２〔（Ｋ１−Ｘ１）／２〕よりも大きくされている。
【００４４】
次に、上記のように構成されてなるスパークプラグ１の製造方法について説明する。
【００４５】
まず、主体金具３を予め加工しておく。すなわち、円柱状の金属素材（例えば、鉄系素材やステンレス素材）に対して冷間鍛造加工等により概形を形成するとともに、貫通孔を形成する。その後、切削加工を施すことで外形を整え、主体金具中間体を得る。
【００４６】
続いて、主体金具中間体の先端面に、Ｎｉ合金からなる直棒状の接地電極２７が抵抗溶接される。当該溶接に際してはいわゆる「ダレ」が生じるので、その「ダレ」を除去した後、主体金具中間体の所定部位にねじ部１６が転造によって形成される。これにより、接地電極２７の溶接された主体金具３が得られる。また、接地電極２７の溶接された主体金具３には、亜鉛メッキ或いはニッケルメッキが施される。尚、耐食性向上を図るべく、その表面に、さらにクロメート処理が施されることとしてもよい。
【００４７】
一方、前記主体金具３とは別に、絶縁碍子２を成形加工しておく。例えば、アルミナを主体としバインダ等を含む原料粉末を用いて、成形用素地造粒物を調製するとともに、当該成形用素地造粒物を用いてラバープレス成形を行うことで、筒状の成形体が得られる。そして、得られた成形体に対し、研削加工が施され整形される。次いで、整形されたものが焼成炉で焼成されることにより、絶縁碍子２が得られる。
【００４８】
また、前記主体金具３、絶縁碍子２とは別に、中心電極５を製造しておく。すなわち、中央部に放熱性向上を図るための銅合金等を配置したＮｉ合金を鍛造加工して中心電極５を作製する。
【００４９】
次に、上記のようにして得られた絶縁碍子２及び中心電極５と、抵抗体７と、端子電極６とが、ガラスシール層８，９によって封着固定される。ガラスシール層８，９としては、一般的にホウ珪酸ガラスと金属粉末とが混合されて調製されており、当該調製されたものが抵抗体７を挟むようにして絶縁碍子２の軸孔４内に注入された後、後方から前記端子電極６で押圧しつつ、焼成炉内にて加熱することにより焼き固められる。尚、このとき、絶縁碍子２の後端側胴部１０表面に釉薬層が同時に焼成されることとしてもよいし、事前に釉薬層が形成されることとしてもよい。
【００５０】
その後、上記のようにそれぞれ作製された中心電極５及び端子電極６を備える絶縁碍子２と、接地電極２７を備える主体金具３とが固定される。詳述すると、まず、主体金具３の段部２２上に板パッキン２３を載置した上で、主体金具３の後端開口から絶縁碍子２を挿入し、絶縁碍子２の段部１４を前記板パッキン２３に接触させる。次いで、絶縁碍子２の大径部１１上に前記リング部材２４を配置するとともに、絶縁碍子２と主体金具３との間に滑石２６を充填する。尚、滑石２６の充填は、筒状の治具（図示せず）により先端側へと押圧力を加えることで行われる。その後、滑石２６上に第２リング部材２５を配置し、比較的薄肉に形成された主体金具３の後端側の開口部を径方向内側に加締め、前記加締め部２０を形成する。これにより、絶縁碍子２と主体金具３とが固定される。
【００５１】
次いで、接地電極２７の略中間部分を屈曲させ、接地電極２７の先端部側面と中心電極５の先端面とを対向させる。そして、中心電極５及び接地電極２７間の火花放電間隙３３の大きさを調整することで、上述したスパークプラグ１が得られる。
【００５２】
以上詳述したように、本実施形態によれば、後端側胴部１０の外径Ｘ１とリング部材２４の内径Ｙ１との径差の１／２〔（Ｙ１−Ｘ１）／２〕が０．１５ｍｍ以上とされており、絶縁碍子２のうち縮径部１５及びその周辺部分と主体金具３との間に十分に大きな空間が形成されている。従って、当該空間へと滑石２６を比較的容易に入り込ませることができ、滑石２６から、縮径部１５及びその周辺部位（つまり、振動等による応力集中が特に懸念される部位）へとより大きな圧縮応力を加えることができる。その結果、縮径部１５及びその周辺部位の強度を向上させることができ、絶縁碍子２の折損等をより確実に防止することができる。
【００５３】
さらに、軸線ＣＬ１を含む断面におけるリング部材２４の直径Ｄ１が０．４ｍｍ以上とされているため、滑石２６によりリング部材２４が主体金具３の内周面へと十分に大きな力をもって押し付けられることとなり、滑石２６の流出をより確実に防止することができる。その結果、十分な気密性をより確実に、かつ、より長期間に亘って維持することができる。
【００５４】
加えて、軸線ＣＬ１に沿った、工具係合部２０の長さＡ１と、縮径部１５の先端から工具係合部２０の外周面の後端までの長さＢ１とが、Ｂ１／Ａ１≦０．８５を満たすように構成されている。従って、滑石２６により工具係合部２０が径方向外側へと膨らんでしまうことをより確実に防止することができ、ひいては滑石２６から絶縁碍子２に加わる圧縮応力をより増大させることができる。その結果、絶縁碍子２の強度の更なる向上を図ることができ、絶縁碍子２の折損等を一層確実に防止することができる。
【００５５】
併せて、本実施形態においては、リング部材２４から第２リング部材２５までの軸線ＣＬ１に沿った距離Ｃ１、すなわち、滑石充填部分の軸線ＣＬ１に沿った長さが３．０ｍｍ以上と十分に大きなものとされている。このため、気密性をより一層向上させることができる。
【００５６】
加えて、縮径部１５が湾曲面状をなすとともに、軸線ＣＬ１を含む断面において、縮径部１５の曲率半径Ｒ１が、大径部１１の外径Ｋ１と後端側胴部１０の外径Ｘ１との径差の１／２〔（Ｋ１−Ｘ１）／２〕よりも大きくされているため、リング部材２４を主体金具３の内周面へとより一層確実に接触させることができる。これにより、リング部材２４の絶縁碍子２側の面と絶縁碍子２との間において十分に大きなスペースがより確実に設けられることとなり、ひいては当該スペースに対して滑石２６を容易に入り込ませることができる。このため、滑石２６から絶縁碍子２に対して一層確実に圧縮応力が加えられるとともに、リング部材２４が滑石２６により主体金具３の内周面へと一層確実に押し付けられることとなる。その結果、絶縁碍子２の強度、及び、気密性の更なる向上を図ることができる。
【００５７】
また、本実施形態においては、縮径部１５から後端側胴部１０にかけて、角部のない滑らかな外形形状とされているため、振動等に伴う後端側胴部１０と縮径部１５との連接部分に対する応力の集中をより確実に防止することができる。その結果、絶縁碍子２の強度向上が図られることと相俟って、絶縁碍子２の折損等を効果的に防止することができる。
〔第２実施形態〕
次に、第２実施形態について、上記第１実施形態との相違点を中心に説明する。
【００５８】
本第２実施形態におけるスパークプラグ１Ａは、上記第１実施形態におけるスパークプラグ１ほど小径化されておらず、図６に示すように、後端側胴部１０Ａの外径Ｘ２が９．０ｍｍ以上１０．５ｍｍ以下とされている。一方で、スパークプラグ１Ａは、後端側胴部１０Ａの表面を這った、端子電極６及び主体金具３Ａ間における電流のリークを防止すべく、軸線ＣＬ１方向に沿って長尺化されている。そのため、軸線ＣＬ１に沿った座部１７Ａの先端側端面から絶縁碍子２Ａの後端までの距離Ｌ２が４２ｍｍ以上５４ｍｍ以下とされている。
【００５９】
尚、主体金具３Ａ、絶縁碍子２Ａ、及び、リング部材２４Ａの相対位置関係や、軸線ＣＬ１を含む断面におけるリング部材２４Ａの直径などは、上記第１実施形態と同様の構成とされている。すなわち、図７に示すように、後端側胴部１０Ａの外径Ｘ２とリング部材２４Ａの内径Ｙ２との径差の１／２〔（Ｙ２−Ｘ２）／２〕が０．１５ｍｍ以上とされている。また、軸線ＣＬ１を含む断面において、リング部材２４Ａの直径Ｄ２が０．４ｍｍ以上とされている。
【００６０】
さらに、工具係合部２０Ａの外周面のうち軸線ＣＬ１に沿った長さが最小となる部分の軸線ＣＬ１に沿った長さをＡ２（ｍｍ）とし、縮径部１５Ａの先端から工具係合部２０Ａの外周面の後端までの軸線ＣＬ１に沿った距離をＢ２（ｍｍ）としたとき、Ｂ２／Ａ２が０．８５以下とされている。併せて、軸線ＣＬ１に沿った前記リング部材２４Ａから第２リング部材２５Ａまでの距離Ｃ２が３．０ｍｍ以上とされている。
【００６１】
以上、本第２実施形態によれば、軸線ＣＬ１に沿った座部１７Ａから絶縁碍子２Ａの後端までの距離Ｌ２が４２ｍｍ以上５４ｍｍ以下と長尺化されたスパークプラグ１Ａにおいて、優れた気密性を維持しつつ、絶縁碍子２Ａの強度を飛躍的に向上できる。
【００６２】
次に、上記実施形態によって奏される作用効果を確認すべく、後端側胴部の外径を７．０ｍｍ、７．５ｍｍ、又は、８．０ｍｍとした上で、後端側胴部の外径Ｘ（ｍｍ）とリング部材の内径Ｙ（ｍｍ）との径差の１／２〔（Ｙ−Ｘ）／２〕を種々変更したスパークプラグのサンプルを作製し、各サンプルについて、ＪＩＳ  Ｂ８０３１に基づく絶縁体強度試験を行った。尚、絶縁体強度試験の概要は次の通りである。すなわち、サンプルを水平状態で所定の試験台に取付けた上で、絶縁碍子の後端から５ｍｍの部分に軸線と直交する方向の荷重を加え、絶縁碍子に割れが生じた際の荷重（折損荷重）を測定した。図８に、絶縁体強度試験の試験結果を示す。尚、図８においては、後端側胴部の外径を７．０ｍｍとしたサンプルの試験結果を丸印でプロットし、後端側胴部の外径を７．５ｍｍとしたサンプルの試験結果を三角でプロットし、後端側胴部の外径を８．０ｍｍとしたサンプルの試験結果を四角でプロットした。また、当該試験においては、各サンプルともに、工具係合部の対辺寸法を１２ｍｍ以下とし、軸線方向に沿った主体金具の座部から絶縁碍子の後端までの軸線に沿った長さを４０ｍｍとした。
【００６３】
図８に示すように、（Ｙ−Ｘ）／２を０．１５ｍｍ以上としたサンプルは、（Ｙ−Ｘ）／２を０．１５ｍｍ未満としたサンプルと比較して、絶縁碍子の強度が飛躍的に向上することが明らかとなった。これは、後端側胴部とリング部材との間に十分に大きな空間が設けられたことで、当該空間に十分な量の滑石が充填されることとなり、その結果、滑石から絶縁碍子（特に、縮径部及びその近傍）に加わる圧縮応力が大きく増大したことに起因すると考えられる。また特に、（Ｙ−Ｘ）／２を０．２５ｍｍ以上とすることで、絶縁碍子の強度を一層向上できることが確認された。
【００６４】
次に、後端側胴部の外径を９．０ｍｍ、又は、１０．５ｍｍとした上で、後端側胴部の外径Ｘとリング部材の内径Ｙとの径差の１／２〔（Ｙ−Ｘ）／２〕、及び、座部から絶縁碍子の後端までの軸線に沿った長さＬを種々変更したスパークプラグのサンプルを作製し、各サンプルについて耐落下性評価試験を行った。耐落下性評価試験の概要は次の通りである。すなわち、後端側胴部の外径を９．０ｍｍとしたサンプルについては、これを１．７ｍｍの高さから自由落下させ、後端側胴部の外径を１０．５ｍｍとしたサンプルについては、これを２．２ｍｍの高さから自由落下させた。そして、落下させた後のサンプルを観察し、絶縁碍子における損傷の有無を確認した。ここで、絶縁碍子に割れ等の損傷が生じていたサンプルは、強度に劣るとして「×」の評価を下す一方で、絶縁碍子に損傷が生じていなかったサンプルは、優れた強度を有するとして「○」の評価を下すこととした。表１に、後端側胴部の外形を９．０ｍｍとしたサンプルの試験結果を示し、表２に、後端側胴部の外径を１０．５ｍｍとしたサンプルの試験結果を示す。尚、上述した絶縁体強度試験と同様の試験ではなく、耐落下性評価試験を行ったのは、座部から絶縁碍子の後端までの長さを変更したことに伴う絶縁碍子の重さの違いによる影響を加味した上で、絶縁碍子の強度を評価するためである。また、後端側胴部の外径の違いにより落下距離を変更したのは、後端側胴部の外径の変化に伴う絶縁碍子の肉厚の変化に対応するためである。尚、各サンプルともに、軸線を含む断面におけるリング部材の直径を０．４ｍｍ以上とした。また、表１及び表２中において、（Ｙ−Ｘ）／２が０ｍｍとあるのは、後端側胴部とリング部材とを接触させたことを意味する。
【００６５】
【表１】
2011210699.tif 000003
【００６６】
【表２】
2011210699.tif 000004
【００６７】
表１及び表２に示すように、座部から絶縁碍子の後端までの軸線に沿った長さＬを４０ｍｍ以下としたサンプルは、（Ｙ−Ｘ）／２の大小によることなく、強度の面で問題はなかったものの、座部から絶縁碍子の後端までの軸線に沿った長さＬを４２ｍｍ以上としたサンプルであって、（Ｙ−Ｘ）／２を０ｍｍとしたものは、強度が不十分となってしまうことが明らかとなった。
【００６８】
これに対して、（Ｙ−Ｘ）／２を０．１５ｍｍ以上としたサンプルは、座部から絶縁碍子の後端までの軸線に沿った長さＬを５４ｍｍ超と過度に大きくしない限り、絶縁碍子に損傷が生じることなく、優れた強度を実現できることが分かった。これは、後端側胴部とリング部材との間に十分に大きな空間が設けられたことで、滑石から絶縁碍子へと加わる圧縮応力が大きく増大したためであると考えられる。
【００６９】
次いで、リング部材の線径を変更することで、軸線を含む断面におけるリング部材の直径Ｄを種々変更したスパークプラグのサンプルを作製し、各サンプルについて気密性評価試験を行った。気密性評価試験の概要は次の通りである。まず、各サンプルに対して、ＩＳＯ  １１５６５に基づく振動試験〔サンプルを所定の試験台に組付けた上で、振動数を５０Ｈｚ〜５００Ｈｚ、加速度を３０ｇ（２９４ｍ／ｓ2）として、８時間に亘ってサンプルの軸方向及び軸直交方向に振動を加える試験〕を行った。次いで、前記振動試験を行ったサンプルに対して、ＪＩＳ  Ｂ８０３１に基づく気密性試験〔エンジンヘッドを模した試験台にサンプルを取付けた上で、サンプルを１５０℃に加熱し、火花放電間隙側から１．５ＭＰａの空気圧を加える試験〕を行い、主体金具と絶縁碍子との間からの空気の漏れ量を測定した。ここで、空気の漏れ量が１０ｍｌ／分よりも大きくなったサンプルは、気密性が不十分であるとして「×」の評価を下し、空気の漏れ量が１０ｍｌ／分以下となったサンプルは、優れた気密性を有するとして「○」の評価を下すこととした。表３に、当該試験の試験結果を示す。
【００７０】
【表３】
2011210699.tif 000005
【００７１】
表３に示すように、リング部材の直径Ｄを０．４０ｍｍ未満としたサンプルは、気密性が不十分となってしまうことが明らかとなった。これは、リング部材の直径が比較的小さかったことで、充填された滑石により生じる、リング部材を主体金具へと押し付ける力が小さくなってしまい、リング部材と主体金具との間を通って滑石が流出してしまったことに起因すると考えられる。
【００７２】
これに対して、リング部材の直径Ｄを０．４０ｍｍ以上としたサンプルは、空気の漏れ量が１０ｍｌ／分以下となり、気密性に優れることが明らかとなった。これは、リング部材の線径が比較的大きかったため、リング部材を主体金具へと押し付ける力が十分に確保され、その結果、主体金具とリング部材との間を通った滑石の流出が抑制されたためであると考えられる。
【００７３】
以上の試験結果より、工具係合部の対辺寸法が１２ｍｍ以下とされるとともに、後端側胴部の外径Ｘが７．０ｍｍ以上８．０ｍｍ以下と小径化されたスパークプラグや、座部から絶縁碍子の後端までの軸線に沿った長さＬが４２ｍｍ以上５４ｍｍ以下と長尺化されたスパークプラグ、つまり、絶縁碍子における強度の低下が懸念されるスパークプラグにおいては、絶縁碍子の強度向上を図るべく、後端側胴部の外径Ｘとリング部材の内径Ｙとの径差の１／２〔（Ｙ−Ｘ）／２〕を０．１５ｍｍ以上とすることが好ましいといえる。
【００７４】
また、優れた気密性を実現するという観点から、軸線を含む断面における直径Ｄが０．４ｍｍ以上となるリング部材を用いることが好ましいといえる。
【００７５】
次いで、後端側胴部の外径を７．０ｍｍ、７．５ｍｍ、８．０ｍｍ、９．０ｍｍ、又は、１０．５ｍｍとしつつ、工具係合部の外周面のうち軸線に沿った長さが最小となる部分の軸線に沿った長さＡ（ｍｍ）を一定とした上で、絶縁碍子の大径部の軸線方向長さを変更することにより、縮径部の先端から前記工具係合部の外周面の後端までの軸線に沿った距離Ｂ（ｍｍ）を種々変更したスパークプラグのサンプルを作製し、各サンプルについて上述の絶縁体強度試験を行った。図９に、Ｂ／Ａと折損荷重との関係を表すグラフを示す。尚、図９においては、後端側胴部の外径を７．０ｍｍとしたサンプルの試験結果を丸印でプロットし、後端側胴部の外径を７．５ｍｍとしたサンプルの試験結果を三角でプロットし、後端側胴部の外径を８．０ｍｍとしたサンプルの試験結果を四角でプロットした。また、後端側胴部の外径を９．０ｍｍとしたサンプルの試験結果を菱形でプロットし、後端側胴部の外径を１０．５ｍｍとしたサンプルの試験結果をバツ印でプロットした。尚、以下の試験においては、各サンプルともに、（Ｙ−Ｘ）／２を０．１５ｍｍ以上とし、リング部材の直径Ｄを０．４ｍｍ以上とした。
【００７６】
図９に示すように、各サンプルともに優れた強度を有していたものの、特にＢ／Ａを０．８５以下とすることで、より一層優れた強度を実現できることが明らかとなった。これは、軸線方向に沿った、工具係合部に対する滑石充填部分の重なり割合を比較的小さくしたことで、滑石による工具係合部の径方向外側への膨出を抑制することができ、その結果、滑石から絶縁碍子に加わる圧縮応力がより一層増大したためであると考えられる。
【００７７】
また、図９に示すように、Ｂ／Ａの値を小さくするほど、絶縁碍子の強度向上を期待できることが分かった。従って、強度の更なる向上を図るべく、Ｂ／Ａを０．８０以下とすることがより好ましく、Ｂ／Ａを０．７５以下とすることがより一層好ましいといえる。
【００７８】
次に、絶縁碍子の大径部の軸線方向長さを変更することで、軸線に沿ったリング部材から第２リング部材までの距離（充填された滑石の軸線に沿った長さであり、以下、「滑石充填長」と称す）Ｃを種々変更したスパークプラグのサンプルを作製し、各サンプルについて、上述の気密性評価試験を行った。表４に、各サンプルにおける１分間当たりの空気の漏れ量を示す。また、表４においては、各サンプルにおけるＢ／Ａの値をカッコ内に参考として示す。
【００７９】
【表４】
2011210699.tif 000006
【００８０】
表４に示すように、各サンプルともに空気の漏れ量が１０ｍｌ／分以下となり、優れた気密性を有していたものの、特に滑石充填長Ｃを３．０ｍｍ以上としたサンプルは、空気が漏れることなく、極めて優れた気密性を有することが確認された。
【００８１】
以上の試験結果を鑑みて、絶縁碍子の強度の一層の向上を図るべく、Ｂ／Ａを０．８５以下とすることが好ましいといえる。
【００８２】
また、気密性の更なる向上を図るという点から、滑石充填長Ｃを３．０ｍｍ以上とすることが好ましいといえる。
【００８３】
尚、上記実施形態の記載内容に限定されず、例えば次のように実施してもよい。勿論、以下において例示しない他の応用例、変更例も当然可能である。
【００８４】
（ａ）上記実施形態において、縮径部１５の表面は凹状の湾曲面状とされているが、縮径部は、大径部１１の後端から軸線ＣＬ１方向後端側に向けて縮径する形状とされていればよく、凹状の湾曲面状に限定されるものではない。従って、例えば、図１０に示すように、縮径部４５を、大径部１１の後端から軸線ＣＬ１方向後端側に向けて縮径するテーパ状のテーパ部４６と、当該テーパ部４６の後端、及び、後端側胴部１０の先端の間に形成され、凹状の湾曲面状をなす湾曲面部４７とによって構成することとしてもよい。この場合においても、上記実施形態と同様に、縮径部４５に沿ってリング部材２４を主体金具３へとより確実に接触させることができる。その結果、リング部材４５と絶縁碍子２（縮径部４５）との間に滑石２６が入り込みやすくなり、滑石２６から絶縁碍子２に対してより確実に圧縮応力を加えることができる。また、振動等によって縮径部４５と後端側胴部１０との連接部分に応力が集中してしまうことを防止でき、絶縁碍子２の折損等をより一層確実に防止することができる。尚、この場合において、湾曲面部４７の曲率半径は、テーパ部４６の後端の外径と後端側胴部１０の外径との径差の１／２以上とすることが好ましい。
【００８５】
（ｂ）上記実施形態では、大径部１１と縮径部１５との連接部分が角張った形状とされているが、当該連接部分における損傷等を防止すべく、図１１（尚、図１１においては、主体金具３やリング部材２４等を図示せず）に示すように、前記連接部分を湾曲面状に形成することとしてもよい。この場合において、「縮径部の先端」とあるのは、縮径部１５を径方向外側へと延長してなる仮想面ＶＬ１と、大径部１１の外周面を軸線ＣＬ１方向先端側に向けて延ばした仮想面ＶＬ２とが交差する部位ＣＰをいう。
【００８６】
（ｃ）上記実施形態では、主体金具３の先端部に、接地電極２７が接合される場合について具体化しているが、主体金具の一部（又は、主体金具に予め溶接してある先端金具の一部）を削り出すようにして接地電極を形成する場合についても適用可能である（例えば、特開２００６−２３６９０６号公報等）。
【００８７】
（ｄ）上記実施形態において、工具係合部２０は断面六角形状とされているが、工具係合部２０の形状に関しては、このような形状に限定されるものではない。例えば、Ｂｉ−ＨＥＸ（変形１２角）形状〔ＩＳＯ２２９７７：２００５（Ｅ）〕等とされていてもよい。尚、工具係合部をＢｉ−Ｈｅｘ形状とした場合には、工具係合部の肉厚をより大きく（（例えば、工具係合部のうち最大の肉厚を有する部分の厚さを１．４ｍｍ以上と）することができ、工具係合部の強度向上を図ることができる。また、工具係合部の強度向上が図られることで、滑石から絶縁碍子に対する圧縮応力を一層増大させることができ、絶縁碍子の強度をより一層向上させることができる。
【符号の説明】
【００８８】
１…スパークプラグ
２…絶縁碍子（絶縁体）
３…主体金具
１０…後端側胴部
１１…大径部
１５，４５…縮径部
２０…工具係合部
２１…加締め部
２４…リング部材
２５…第２リング部材
２６…滑石
４６…テーパ部
４７…湾曲面部
ＣＬ１…軸線
【図１】
2011210699.tif 000007
【図２】
2011210699.tif 000008
【図３】
2011210699.tif 000009
【図４】
2011210699.tif 000010
【図５】
2011210699.tif 000011
【図６】
2011210699.tif 000012
【図７】
2011210699.tif 000013
【図８】
2011210699.tif 000014
【図９】
2011210699.tif 000015
【図１０】
2011210699.tif 000016
【図１１】
2011210699.tif 000017